(57)【要約】【課題】本発明は、線が滲まず、線のエッジを明瞭にし、１本の磁性ペンで太字及び細字を記載できる磁性ペンを提供する。【解決手段】利用者によって把持される軸体と、該軸体の一方端部に備えられた筒状の第１磁石と、該第１磁石の内部に配置され、第１磁石の端面の磁極とは異なる磁極を端面に有する第２磁石と、を備え、第２磁石の端面と第１磁石の端面とを面一にした位置から、第２磁石の端面を第１磁石の端面から突出した位置まで、摺動可能とする。これにより、線が滲まず、線のエッジを明瞭にし、１本の磁性ペンで太字及び細字を記載できる。【選択図】図１
2019123112.tif 000002
【特許請求の範囲】
【請求項１】
利用者によって把持される軸体と、
該軸体の一方端部に備えられた筒状の第１磁石と、
該第１磁石の内部に配置され、第１磁石の端面の磁極とは異なる磁極を端面に有する第２磁石と、を備え、
第２磁石の端面と第１磁石の端面とを面一にした位置から、第２磁石の端面を第１磁石の端面から突出した位置まで、摺動可能としたことを特徴とする磁性ペン。
【請求項２】
前記第１磁石は、円筒形状の磁石からなり、両端面の磁極が異なるように磁化されている事を特徴とする請求項１に記載の磁性ペン。
【請求項３】
前記第１磁石は、円周上で磁極が異なるように磁化されている事を特徴とする請求項１及び２に記載の磁性ペン。
【発明の詳細な説明】
【技術分野】
【０００１】
本発明は、マイクロカプセル磁気泳動表示シートを含む磁気表示パネルの表示面に文字を記載する磁性ペンに関する。
【背景技術】
【０００２】
従来からマイクロカプセル磁気泳動表示シートを含む磁気表示パネルの表示面に文字を記載する磁性ペンは知られている。例えば、特許文献１には、磁気表示パネルに細字と太字とを記載できる磁性ペンが開示されている。この磁性ペンは、ポリプロピレン製の軸体の両端に、径の異なる係合凹部が形成されており、それぞれの係合凹部に鉄製の径の異なる磁性部材が固着されている。また、軸体の両端に移動可能な磁石が挿入されている。これにより、細字を使用したいときに、径の小さい磁性部材側に磁石を移動させ、径の小さい磁性部材を磁気表示パネルに当接させて記載する事で、細字を得る事ができる。また太字を使用したいときに、径の大きい磁性部材側に磁石を移動させ、径の大きい磁性部材を磁気表示パネルに当接させて記載する事で、太字を得る事ができる。
【０００３】
しかしながら、特許文献１の磁性ペンは、磁性部材から外部に出た磁力線が、磁性部材に対して垂直方向のみならず、拡径方向にも出るために、磁気表示パネルに黒色を表示する磁性粒子のうち、磁性部材が当接した部分の近辺の磁性粒子にも影響を与えて、表示面に表示されるために、線が滲む、線のエッジが不明瞭になるという問題があった。
【０００４】
この線が滲む、線のエッジが不明瞭になる問題を解決するために、特許文献２には、磁性材料で形成されたホルダーとホルダーの内部空間に収納した磁石とを備え、ホルダーの端面に対して磁石の端面が窪んだ位置になるように磁石を収容した磁性ペンが開示されている。
【先行技術文献】
【特許文献】
【０００５】
【特許文献１】特開２００９−２２０５３８号公報
【特許文献２】特許第６２１３８８６号公報
【発明の概要】
【発明が解決しようとする課題】
【０００６】
しかしながら、特許文献２の磁性ペンは、太字もしくは細字を記載したい場合には、磁性ペンを替えて使用しなければならず、少なくとも２本の磁性ペンを必要する。
【０００７】
そこで、本出願人は、線が滲まず、線のエッジを明瞭にし、１本の磁性ペンで太字及び細字を記載できる磁性ペンを見出した。
【０００８】
本発明は、線が滲まず、線のエッジを明瞭にし、１本の磁性ペンで太字及び細字を記載できる磁性ペンを提供する事を目的とする。
【課題を解決するための手段】
【０００９】
上記目的を達成するために、請求項１に記載の発明に係る磁性ペンは、利用者によって把持される軸体と、該軸体の一方端部に備えられた筒状の第１磁石と、該第１磁石の内部に配置され、第１磁石の端面の磁極とは異なる磁極を端面に有する第２磁石と、を備え、第２磁石の端面と第１磁石の端面とを面一にした位置から、第２磁石の端面を第１磁石の端面から突出した位置まで、摺動可能とする。
【００１０】
請求項２に記載の発明に係る磁性ペンにおいて、前記第１磁石は、円筒形状の磁石からなり、両端面の磁極が異なるように磁化されている。
【００１１】
請求項３に記載の発明に係る磁性ペンにおいて、前記第１磁石は、円周上で磁極が異なるように磁化されている。
【発明の効果】
【００１２】
本発明によれば、軸体は、利用者によって把持される。筒状の第１磁石は、該軸体の一方端部に備えられる。第２磁石は、該第１磁石の内部に配置され、第１磁石の端面の磁極とは異なる磁極を端面に有する。第２磁石の端面と第１磁石の端面とを面一にした位置から、第２磁石の端面を第１磁石の端面から突出した位置まで、摺動可能とする。この結果、線が滲まず、線のエッジを明瞭にし、１本の磁性ペンで太字及び細字を記載できる。
【図面の簡単な説明】
【００１３】
【図１】本発明の実施形態に係る磁性ペンの全体形状図である。
【図２】本実施形態に係る磁性ペンの図１のＡ−Ａ断面図である。
【図３】本実施形態におけるペン先部を示す図である。
【図４】本実施形態におけるペン先部の磁力線を示す図である。
【図５】本実施形態におけるペン先部のうち第２磁石が突出した状態を示す図である。
【図６】本実施形態におけるペン先部のうち第１磁石の変形例を示す図である。
【発明を実施するための形態】
【００１４】
［実施形態］
本発明の実施形態に係る磁性ペンについて、図面を参照して説明する。磁性ペンを説明するために、図１に示す矢印Yの上方向を「上」及び下方向を「下」と、矢印Xの左方向を「左」及び右方向を「右」と、表現して説明する。
【００１５】
図１に示すように、磁性ペンは、軸体１とペン先部２とノック部３とを備える。軸体１は、利用者が文字等を書く際に、手で持つ部分であり、ペン先部２は、磁気表示パネルの表示面に当接する部分である。
【００１６】
図２は、図１のＡ−Ａ断面図であり、図２を用いて、磁性ペンを詳細に説明する。
【００１７】
磁性ペンは、軸体１と、ペン先部２と、ノック部３と、回転子４と、芯材５と、バネ６と、を備える。
【００１８】
軸体１は、プラスチック等の非磁性材料である材質から形成され、左側端部から右側端部に至るまで空隙が形成された円筒形状を有する。また、右側端部近辺であって、空隙を形成する内壁には、左右方向に複数の段部が形成されている。段部と段部との間は、溝となっており、後述するノック部３のガイド突起が溝に沿って摺動する。また、段部の左側は、のこぎり状の歯が２つ形成されている。
【００１９】
軸体１の左側端部近辺は、左側端部に向かうに従い、軸体の外径の長さが徐々に小さくなるように形成されている。
【００２０】
ペン先部２は、軸体１の左側端部に備えられる。ペン先部２は、図３に示すように、第１磁石２１と第２磁石２２とを備える。第１磁石２１は、円筒形状を有し、左右方向に円形の貫通孔が形成されている。また第１磁石２１は、左側の端部及び右側の端部における磁極が異なるように磁化されている。例えば、第１磁石２１の左側端部がＳ極に、第１磁石２１の右側端部がＮ極に磁化されている。
【００２１】
第２磁石２２は、円柱形状を有し、円柱形状を為す円の大きさが、第１磁石２１の円形の貫通孔を為す円よりも若干小さい形状で形成されている。また第２磁石２２は、左側の端部及び右側の端部における磁極が異なるように磁化されている。例えば、第２磁石２２の左側端部は、Ｎ極に、第２磁石の右側端部は、Ｓ極に磁化されている。
【００２２】
第２磁石２２は、第１磁石２１の端部の磁極とは異なる磁極となる様に、第１磁石２１の円形の貫通孔に配置されている。例えば、第１磁石２１の左側端部がＳ極に、第１磁石２１の右側端部がＮ極になるように配置されている場合、第２磁石２２の左側端部がＮ極に、第２磁石２２の右側端部がＳ極に配置される。これにより、図４に示すように、第２磁石２２の左側端面から出た磁力線が、拡径方向に広がらず、磁気表示パネルに黒色を表示する磁性粒子のうち、第１磁石２１及び第２磁石２２が当接した部分の近辺の磁性粒子に影響を与えにくくし、線が滲む、線のエッジが不明瞭になる不具合を防止できる。
【００２３】
ノック部３は、プラスチック等の非磁性材料である材質から形成され、有底筒体の形状を有する。筒の一部が軸体１の空隙に内包されるように配置される。ノック部３の左側端部には、複数の三角形の突起が筒の端面に一周に亘って形成されている。また、複数の三角形の突起のうち、一部は拡径方向に突出するガイド突起が形成されている。前述した、軸体１の溝にガイド突起が摺動する。
【００２４】
回転子４は、プラスチック等の非磁性材料である材質から形成され、有底筒体の形状を有する。回転子４の底が、軸体２の左側に、筒が軸体の右側になるように、軸体１の空隙に配置される。回転子４の右側端部は、複数の三角形の突起が筒の端面に一周に亘って形成されている。軸体１の段部、ノック部３及び回転子４は、ボールペンなどの筆記用具で既存技術であるノック部を押すことで、芯を突出させ、または引っ込ませる技術である。
【００２５】
芯材５は、プラスチック等の非磁性材料である材質から形成され、円柱の形状を有する。芯材５の径の大きさは、第２磁石２２の径の大きさと同一もしくは若干小さい大きさであることが望ましい。芯材５の左側端部近辺には、拡径方向に突出したバネ係止部５１が形成されている。芯材５の右側端部は、回転子４に当接され、芯材５の左側端部は、ペン先部２のうち、第２磁石２２に当接されている。
【００２６】
バネ６は、金属等の材質から形成されている。バネ６の左側端部は、ペン先部２に、バネ６の右側端部は、バネ係止部５１に当接されている。
【００２７】
＜本実施形態の使用形態＞
次に、本実施形態の使用形態について、図３及び図５を用いて説明する。本使用形態は、磁性ペンを太字及び細字に変更したときの使用形態である。  
【００２８】
利用者が、ノック部３を左方向に１回押すと、回転子４の回転と共に、図5に示すようにペン先部２のうち第２磁石２２が、第１磁石２１に対して左方向に突出する。これにより、磁気表示パネルに細字を記載できるようになる。
【００２９】
利用者が、ノック部３を左方向にさらに１回押すと、回転子４の回転と共に、図３に示すようにペン先部２のうち、第２磁石２２が右方向に引っ込み、第２磁石２２の左側端面と、第１磁石２１の左側端面とが面一になる。これにより、磁気表示パネルに太字を記載できるようになる。
【００３０】
＜本実施形態の効果＞
本実施形態によれば、太字及び細字を、ノックを押すことで変更する事が可能となり、１本の磁性ペンで対応できるため、利用者が複数本を持ち歩く不便さがなくなる。
【００３１】
本実施形態によれば、磁極の異なる第１磁石２１及び第２磁石２２を配置させていることから、磁力線が拡径方向に広がらずに、線が滲むことがなくなる。
【００３２】
本発明の実施形態について以上説明したが、本発明の趣旨を逸脱しない範囲において、当業者であれば種々の変更を加える事ができる。
【００３３】
（変形例１）
本実施形態において、ペン先部２は、第１磁石２１及び第２磁石２２を備える。この実施形態に代えて、ペン先部２は、第１磁石２１及び第２磁石２２の最外周に非磁性体のホルダーを備え、磁石の破損を防止しても良い。
【００３４】
（変形例２）
本実施形態において、ペン先部２は、第１磁石２１及び第２磁石２２を備える。この実施形態に代えて、ペン先部２は、第１磁石２１及び第２磁石２２の最外周にヨークを備え、磁力線の拡径方向への広がりを更に抑え、磁石から垂直方向への磁力線の密度を多くしても良い。
【００３５】
（変形例３）
本実施形態において、第１磁石２１は、左側端面と右側端面とは異なる磁極で磁化されている。この実施形態に代えて、図６に示すように、左側端面及び右側端面は、１周で異なる磁極で磁化され、さらに左側端面及び右側端面は、左右方向において異なる磁極に磁化されていても良い。例えば、左側端面は、N極、S極、N極、S極で磁化され、右側端面は、Ｓ極、Ｎ極、Ｓ極、Ｎ極で磁化されていても良い。
【符号の説明】
【００３６】
１・・・軸体、２・・・ペン先部、２１・・・第１磁石、２２・・・第２磁石、３・・・ノック部、４・・・回転子、５・・・芯材、５１・・・バネ係止部、６・・・バネ
【図１】
2019123112.tif 000003
【図２】
2019123112.tif 000004
【図３】
2019123112.tif 000005
【図４】
2019123112.tif 000006
【図５】
2019123112.tif 000007
【図６】
2019123112.tif 000008